(57)【特許請求の範囲】
【請求項１】
少なくとも開口の開口縁に続く開口周縁側方のタンク外面部をポリエチレン製又は高密度ポリエチレン製とした燃料タンクの開口部に備え付けられて該燃料タンクと該燃料タンクに接続される管とを連通状態に接続する合成樹脂製のコネクタであって、
該コネクタが、筒状部と該筒状部の外周側に備えられ且つ前記開口よりも大きい鍔状部とを一体に備えたガスバリヤ性合成樹脂製のコネクタ本体と、該コネクタ本体の前記鍔状部における少なくとも前記タンク外面に向き合う側に備えられる溶着用材とを備えており、
この溶着用材が、前記タンク外面に向き合うポリエチレン製又は高密度ポリエチレン製の溶着側層部と、前記鍔状部に接着又は溶着される合成樹脂製の鍔状部側層部と、該溶着側層部と該鍔状部側層部との間に備えられ且つ該溶着側層部と鍔状部側層部とに接着可能、溶着可能又は一体にプラスチック成形可能な合成樹脂からなる中間層部とを備えており、
前記コネクタが、前記開口を塞ぐように、前記タンク外面に向き合って備え付けられている前記鍔状部の前記溶着用材を前記開口周縁側方のタンク外面部に溶着して備え付けられると共に、
前記鍔状部の前記タンク外面に向き合う側に、前記燃料タンクに対して前記溶着用材の溶着により前記コネクタを備え付けた際に、該タンク外面に当接される一条又は複数条のガスバリヤ性合成樹脂製の環状凸条部を一体に設けてあることを特徴とする燃料タンク用コネクタ。
【請求項２】
少なくとも開口の開口縁に続く開口周縁側方のタンク外面部をポリエチレン製又は高密度ポリエチレン製とした燃料タンクの開口部に備え付けられて該燃料タンクと該燃料タンクに接続される管とを連通状態に接続する合成樹脂製のコネクタであって、
該コネクタが、筒状部と該筒状部の外周側に備えられ且つ前記開口よりも大きい鍔状部とを一体に備えたガスバリヤ性合成樹脂製のコネクタ本体と、該コネクタ本体の前記鍔状部における少なくとも前記タンク外面に向き合う側に備えられる溶着用材とを備えており、
この溶着用材が、ポリエチレン製層部と、前記鍔状部に接着又は溶着される合成樹脂製の鍔状部側層部と、該ポリエチレン製層部と鍔状部側層部との間に備えられ且つ該ポリエチレン製層部と鍔状部側層部とに接着可能、溶着可能又は一体にプラスチック成形可能な合成樹脂製の中間層部と、前記ポリエチレン製層部に接着又は溶着されて前記タンク外面に向き合う高密度ポリエチレン製層部とを備えており、
前記コネクタが、前記開口を塞ぐように、前記タンク外面に向き合って備え付けられている前記鍔状部の前記溶着用材を前記開口周縁側方のタンク外面部に溶着して備え付けられると共に、
前記鍔状部の前記タンク外面に向き合う側に、前記燃料タンクに対して前記溶着用材の溶着により前記コネクタを備え付けた際に、該タンク外面に当接される一条又は複数条のガスバリヤ性合成樹脂製の環状凸条部を一体に設けてあることを特徴とする燃料タンク用コネクタ。
【請求項３】
前記コネクタが、燃料供給管の接続用コネクタであることを特徴とする請求項１又は請求項２に記載の燃料タンク用コネクタ。
【請求項４】
前記コネクタが、通気管の接続用コネクタであることを特徴とする請求項１又は請求項２に記載の燃料タンク用コネクタ。
【請求項５】
前記コネクタがフューエルカットオフバルブを備えていることを特徴とする請求項１、請求項２又は請求項４に記載の燃料タンク用コネクタ。
【発明の詳細な説明】
【０００１】
【発明の属する技術分野】
この発明は、燃料タンク用コネクタ、特に、燃料タンクからの燃料蒸発ガスの漏れ出しを効果的に減少させるようにしたコネクタの提供に関する。
【０００２】
【従来の技術】
燃料タンク１００には、通例、燃料の供給管や、燃料から生ずるガスを案内する管１０１などが該タンク１００に接続して備えられている。
かかる各種の管１０１は、図１３及び図１４で示されるように当該燃料タンク１００に備えられるコネクタ１１０によって接続されている。
【０００３】
この図１３及び図１４で示されるコネクタ１１０は、管１０１の接続される管状部１１１と、この管状部１１１における一端部側の外周部から側方に突き出すように備えられていると共に該タンク１００における開口１００ａ上を覆うように該タンク１００面に溶着される鍔状部１１２と、前記管状部１１１と反対側の該鍔状部１１２に備えられているフューエルカットオフバルブ１１３とを有する構成としてあり、前記管状部１１１と鍔状部１１２とが高密度ポリエチレンによって一体に成形してある。
【０００４】
また、この図示例に係るコネクタ１１０における前記フューエルカットオフバルブ１１３は、前記管状部１１１における孔に連通する孔の開口部分に弁座１１３ａ’を備えた弁座体１１３ａを有する下面開口のポリアセタールからなる筒状のフロート室を構成する箱状部１１３ｂと、上部に弁体部１１３ｅを一体に有すると共に該箱状部１１３ｂ内に上下動可能に納め入れられるフロート１１３ｃと、該箱状部１１３ｂの下面側の開口を塞いで、該箱状部１１３ｂと共に該フロート１１３ｃの組み入れられるフロート室を構成する蓋体１１３ｄとを備えた構成としてあり、前記フロート１１３ｃの上昇に伴って、前記弁座１１３ａ’に前記フロート１１３ｃの前記弁体部１１３ｅを密に接して閉弁される構成としてある。
【０００５】
かかるコネクタ１１０は、前記フューエルカットオフバルブ１１３における箱状部１１３ｂを成形金型内にインサートした状態でなされるプラスチック成形などによって、該箱状部１１３ｂの上部側を前記鍔状部１１２内に埋め付け状態にして該箱状部１１３ｂを該鍔状部１１２に一体に備えた構成としてあると共に、この箱状部１１３ｂの備えられている前記鍔状部１１２の外周部分を、前記タンク１００の開口１００ａから該箱状部１１３ｂを該タンク１００内に差入れた状態で、該タンク１００の開口縁周側方にある当該タンク１００面部に溶着した構成としてある。
【０００６】
【発明が解決しようとする課題】
このように構成されるコネクタ１１０にあっては、前記コネクタ１１０を構成する鍔状部１１２と管状部１１１とが高密度ポリエチレンによって構成されていることから、前記タンク１００の開口１００ａの開口縁と、このタンク１００に溶着備えられたコネクタ１１０における前記箱状部１１３ｂとの間に備えられる当該コネクタ１１０における鍔状部１１２部分を通して、該タンク１００内などにおいて生ずる燃料からの蒸発ガスが、規制値以内ではあるが、該タンク１００外に漏れ出すことが予想された。
【０００７】
この発明は、かかる従来のコネクタにおいて予想される燃料タンクからの燃料蒸発ガスの漏れ出しを効果的に減少させると共に燃料タンクに確実に備え付けられる簡素な構成のコネクタの提供を目的としている。
【０００８】
【課題を解決するための手段】
この発明は前記の目的を達成するために、請求項１に記載の発明を、少なくとも開口の開口縁に続く開口周縁側方のタンク外面部をポリエチレン製又は高密度ポリエチレン製とした燃料タンクの開口部に備え付けられて該燃料タンクと該燃料タンクに接続される管とを連通状態に接続する合成樹脂製のコネクタであって、
該コネクタが、筒状部と該筒状部の外周側に備えられ且つ前記開口よりも大きい鍔状部とを一体に備えたガスバリヤ性合成樹脂製のコネクタ本体と、該コネクタ本体の前記鍔状部における少なくとも前記タンク外面に向き合う側に備えられる溶着用材とを備えており、
この溶着用材が、前記タンク外面に向き合うポリエチレン製又は高密度ポリエチレン製の溶着側層部と、前記鍔状部に接着又は溶着される合成樹脂製の鍔状部側層部と、該溶着側層部と該鍔状部側層部との間に備えられ且つ該溶着側層部と鍔状部側層部とに接着可能、溶着可能又は一体にプラスチック成形可能な合成樹脂からなる中間層部とを備えており、
前記コネクタが、前記開口を塞ぐように、前記タンク外面に向き合って備え付けられている前記鍔状部の前記溶着用材を前記開口周縁側方のタンク外面部に溶着して備え付けられると共に、
前記鍔状部の前記タンク外面に向き合う側に、前記燃料タンクに対して前記溶着用材の溶着により前記コネクタを備え付けた際に、該タンク外面に当接される一条又は複数条のガスバリヤ性合成樹脂製の環状凸条部を一体に設けてあることを特徴とする燃料タンク用コネクタとしてある。
この発明は前記の目的を達成するために、請求項２に記載の発明を、少なくとも開口の開口縁に続く開口周縁側方のタンク外面部をポリエチレン製又は高密度ポリエチレン製とした燃料タンクの開口部に備え付けられて該燃料タンクと該燃料タンクに接続される管とを連通状態に接続する合成樹脂製のコネクタであって、
該コネクタが、筒状部と該筒状部の外周側に備えられ且つ前記開口よりも大きい鍔状部とを一体に備えたガスバリヤ性合成樹脂製のコネクタ本体と、該コネクタ本体の前記鍔状部における少なくとも前記タンク外面に向き合う側に備えられる溶着用材とを備えており、
この溶着用材が、ポリエチレン製層部と、前記鍔状部に接着又は溶着される合成樹脂製の鍔状部側層部と、該ポリエチレン製層部と鍔状部側層部との間に備えられ且つ該ポリエチレン製層部と鍔状部側層部とに接着可能、溶着可能又は一体にプラスチック成形可能な合成樹脂製の中間層部と、前記ポリエチレン製層部に接着又は溶着されて前記タンク外面に向き合う高密度ポリエチレン製層部とを備えており、
前記コネクタが、前記開口を塞ぐように、前記タンク外面に向き合って備え付けられている前記鍔状部の前記溶着用材を前記開口周縁側方のタンク外面部に溶着して備え付けられると共に、
前記鍔状部の前記タンク外面に向き合う側に、前記燃料タンクに対して前記溶着用材の溶着により前記コネクタを備え付けた際に、該タンク外面に当接される一条又は複数条のガスバリヤ性合成樹脂製の環状凸条部を一体に設けてあることを特徴とする燃料タンク用コネクタとしてある。
【０００９】
このように構成されるコネクタにあっては、前記燃料タンク内などにおいて生ずると共に当該燃料タンク内にもたらされる燃料からの蒸発ガスの、当該コネクタ部分における漏れ出しを効果的に減じることができる。
また、かかる構成のコネクタにあっては、前記溶着用材をコネクタ本体と別段に用意し、この別段に用意される溶着用材によって当該コネクタを燃料タンクに溶着するようにしてあることから、該コネクタ本体の成形素材の選択の自由度が増加される。
また、かかるコネクタにあっては、少なくとも、タンク外面部に溶着される前記溶着用材部分をポリエチレン製又は高密度ポリエチレン製としてあることから、当該コネクタを燃料タンクに確実且つ容易に備えつけることができる。
また、このように構成される燃料タンク用コネクタにあっては、前記鍔状部の前記タンク外面に向き合う側に、前記燃料タンクに対して前記溶着用材の溶着により前記コネクタを備え付けた際に、該タンク外面に当接される一条又は複数条のガスバリヤ性合成樹脂製の環状凸条部を一体に設けてあることから、前記特長に併せて、当該コネクタの燃料タンクに対する溶着部から前記燃料からの蒸発ガスが漏れ出すのを効果的に減ずることができる。
また、このように構成される燃料タンク用コネクタにあっては、前記特長に併せて、コネクタ本体を燃料タンクに溶着する典型的な溶着用材を備えたコネクタとすることができる。
【００２０】
また、前記目的を達成するために、請求項３に記載の発明を、前記請求項１又は請求項２に記載の発明において、前記コネクタが、燃料供給管の接続用コネクタであることを特徴とする燃料タンク用コネクタとしてある。
【００２１】
このように構成される燃料タンク用コネクタにあっては、前記特長に併せて、燃料から生ずる蒸発ガスの漏れ出しを効果的に減じた状態で、燃料供給管を燃料タンクに接続することができる。
【００２２】
また、前記目的を達成するために、請求項４記載の発明を、前記請求項１又は請求項２に記載の発明において、前記コネクタが、通気管の接続用コネクタであることを特徴とする燃料タンク用コネクタとしてある。
【００２３】
このように構成される燃料タンク用コネクタにあっては、前記特長に併せて、燃料から生ずる蒸発ガスの漏れ出しを効果的に減じた状態で、通気管を燃料タンクに接続することができる。
【００２４】
また、前記目的を達成するために、請求項５に記載の発明を、前記請求項１、請求項２又は請求項４に記載の発明において、記コネクタがフューエルカットオフバルブを備えていることを特徴とする燃料タンク用コネクタとしてある。
【００２５】
このように構成される燃料タンク用コネクタにあっては、前記特長に併せて、燃料から生ずる蒸発ガスの漏れ出しを効果的に減じた状態で、管と燃料タンクとをフューエルカットオフバルブを備えたコネクタで接続することができる。
【００２６】
【発明の実施の形態】
以下、この発明の典型的な各実施に形態に係る燃料タンク用コネクタＡについて詳細に説明する。
【００２７】
図１〜図４は、典型的な第１の実施の形態に係る燃料タンク用コネクタＡを示したものであって、図１では、この第１の実施の形態に係るコネクタＡを燃料タンクＢに備え付ける前の状態を、当該燃料タンクＢの一部と共に縦断面して示しており、図２では、このコネクタＡを燃料タンクＢに備え付けた状態を、当該燃料タンクＢの一部と共に縦断面して示している。また、図３では、このコネクタＡを燃料タンクＢに備え付けるために、燃料タンクＢに添装した状態を上方から見て示しており、図４では、このコネクタＡを構成する接続筒体部２０を斜め上方から見て示している。
図５〜図８は、典型的な第２の実施の形態に係る燃料タンク用コネクタＡを示したものであって、図５では、この第２の実施の形態に係るコネクタＡを燃料タンクＢに備え付ける前の状態を、当該燃料タンクＢの一部と共に縦断面して示しており、図６では、このコネクタＡを燃料タンクＢに備え付けた状態を、当該燃料タンクＢの一部と共に縦断面して示している。また、図７では、このコネクタＡを燃料タンクＢに備え付けるために、燃料タンクＢに添装した状態を上方から見て示しており、図８では、このコネクタＡを構成する接続筒体部２０を斜め上方から見て示している。
図９〜図１２は、典型的な第３の実施の形態に係るコネクタＡを示したものであって、図９では、この第３の実施の形態に係るコネクタＡを燃料タンクＢに備え付ける前の状態を、当該燃料タンクＢの一部と共に縦断面して示しており、図１０では、このコネクタＡを燃料タンクＢに備え付けた状態を、当該燃料タンクＢの一部と共に縦断面して示している。また、図１１では、このコネクタＡを燃料タンクＢに備え付けるために、燃料タンクＢに添装した状態を上方から見て示しており、図１２では、このコネクタＡを構成する接続筒体部２０を斜め上方から見て示している。
【００２８】
この典型的な実施の形態に係るコネクタＡは、少なくとも開口Ｂａの開口縁Ｂａ’に続く開口周縁側方のタンクＢ’外面部をポリエチレン製又は高密度ポリエチレン製とした燃料タンクＢの開口部Ｂｂに備え付けられて該燃料タンクＢと該燃料タンクＢに接続される管Ｃとを連通状態に接続する合成樹脂製のコネクタＡであって、
該コネクタＡが、筒状部Ａ’ａと該筒状部Ａ’ａの外周側に備えられ且つ前記開口Ｂａよりも大きい鍔状部Ａ’ｂとを一体に備えたガスバリヤ性合成樹脂製のコネクタ本体Ａ’と、該コネクタ本体Ａ’の前記鍔状部Ａ’ｂにおける少なくとも前記タンクＢ’外面に向き合う側に備えられると共に少なくとも該タンクＢ’外面に向き合う側をポリエチレン製又は高密度ポリエチレン製とした溶着用材４０とを備えており、
該コネクタＡが、前記開口Ｂａを塞ぐように、前記タンクＢ’外面に向き合って備え付けられている前記鍔状部Ａ’ｂの前記溶着用材４０を前記開口周縁側方のタンクＢ’外面部に溶着して備え付けられる構成としてある。
【００２９】
このように構成されるコネクタＡにあっては、前記燃料タンクＢ内などにおいて生ずると共に当該燃料タンクＢ内にもたらされる燃料からの蒸発ガスが、当該コネクタ部分から漏れ出すのを、前記コネクタ本体Ａ’によって効果的に減じることができる。
また、かかる構成のコネクタＡにあっては、前記溶着用材４０をコネクタ本体Ａ’と別段に用意される溶着用材４０によって当該コネクタＡを燃料タンクＢに溶着するようにしてあることから、該コネクタ本体Ａ’の成形素材の選択の自由度を増すことができる。
また、かかるコネクタＡにあっては、タンクＢ’外面部に溶着される溶着用材４０部分をポリエチレン製又は高密度ポリエチレン製としてあることから、当該コネクタＡを燃料タンクＢに確実且つ容易に備えつけることができる。
【００３０】
かかるコネクタＡは、典型的には、耐燃料油性などの当該燃料タンク用コネクタＡに要請される各種特性を備えたものとして構成され、前記燃料タンクＢに備えられている各種の開口Ｂａの開口部Ｂｂに備え付けられて、この燃料タンクＢに接続備えられる各種の管Ｃ、例えば、各種の通気管や、燃料供給管などの当該燃料タンクＢに対する接続に用いられる。
また、かかるコネクタＡは、このコネクタＡに各種の弁機構、例えば、フューエルカットオフバルブ３０などを備え、又は、これらの弁機構を備えない状態で、前記燃料タンクＢに各種の管Ｃを接続するのに用いられる。
【００３１】
かかるコネクタＡは、前記コネクタ本体Ａ’と溶着用材４０を備えた構成としてあれば、いかなる形態のコネクタＡであってもよく、このコネクタ本体Ａ’及び該コネクタ本体Ａ’に備えられる前記溶着用材４０のみによって該コネクタＡを構成してあってもよく、また、このコネクタ本体Ａ’を、例えば、成形金型内にインサートした状態で当該コネクタ本体Ａ’の周囲に合成樹脂表面層部を備えた構成とすると共に、これに前記溶着用材４０を備え付けて当該コネクタＡを構成するようにしてあってもよい。
【００３２】
また、前記溶着用材４０は、前記タンクＢ’の外面部に溶着される部分をポリエチレン製又は高密度ポリエチレン製としてあれば、いかなる構成の溶着用材４０としてあってもよく、当該溶着用材４０をポリエチレン又は高密度ポリエチレンによって成形される単一層状の溶着用材４０としてあってもよく、また、このポリエチレン製又は高密度ポリエチレン製の層を含んで構成される複数の合成樹脂製層を備えたものとして構成してあってもよい。
また、かかる溶着用材４０は、前記コネクタ本体Ａ’における鍔状部Ａ’ｂに備え付けられておればよく、例えば、この鍔状部Ａ’ｂに接着や溶着や掛止などの適宜の方法で備え付けられておればよい。
【００３３】
また、かかるコネクタＡを構成するコネクタ本体Ａ’は、耐燃料油性などの燃料タンク用コネクタを構成するのに適し、且つ、該燃料タンクＢ内にもたらされる燃料からの各種の蒸発ガスの透過し難い合成樹脂によって形成してあれば、いかなる合成樹脂によって構成してあってもよく、各種のガスバリヤ性合成樹脂、例えば、ポリアセタール、ポリアミド、ポリブチレンテレフタレート、ポリフェニレンスルフィド、リキッドクリスタルポリマー、ポリエチレンテレフタレート、脂肪族ポリケトン、芳香族ポリアミドなどによって当該コネクタ本体Ａ’を構成することができる。
【００３４】
かかるガスバリヤ性合成樹脂製のコネクタ本体Ａ’を構成するガスバリヤ性合成樹脂は、
板厚が０．９７ｍｍの当該ガスバリヤ性合成樹脂製の試料を、レギュラーガソリン（ＪＩＳ  Ｋ２２０２  ２号相当品）４．６ｇを入れた直径３８ｍｍのアルミカップの開口を密閉するように該カップ上に載置固定すると共に、６０℃の試験温度において４８時間経過後の減少重量測定によって、１１．３４１ｃｍ2 の透過面積の４８時間の透過量を気相法で測定するガソリン透過性試験（ＪＩＳ  Ｚ  ０２０８−７６に準ずるガソリン透過性試験）において、その透過量が１５６ｍｇよりも少ない透過量のガスバリヤ性合成樹脂であることが好ましい。
【００３５】
また、かかるコネクタＡの備え付けられる燃料タンクＢは、少なくとも開口Ｂａの開口縁Ｂａ’に続く開口周縁側方のタンクＢ’の外面部をポリエチレン製又は高密度ポリエチレン製としてあれば、他の部分を、いかなる素材によって構成してあってもよく、例えば、当該開口Ｂａの開口縁Ｂａ’に続く開口周縁側方のタンクＢ’の外面部をポリエチレン製又は高密度ポリエチレン製とし他の当該タンクＢ’部分を金属製としてあってもよく、また、この燃料タンクＢの外面側をポリエチレン製又は高密度ポリエチレン製とした合成樹脂製の燃料タンクＢとしてあってもよい。
【００３６】
かかる燃料タンクＢは、各種のガスバリヤ手段を備えたものとして用意されており、例えば、当該燃料タンクＢにおけるタンク壁を、ガスバリヤ性合成樹脂製の層を含む複数の合成樹脂層を備え且つ外表面部をポリエチレン製又は高密度ポリエチレン製の層とした板状材によって、当該燃料タンクＢにおける外面部に前記溶着用材４０の溶着されるポリエチレン製層又は高密度ポリエチレン製層を備えたものとして構成することができる。
【００３７】
かかる構成からなるコネクタＡは、該コネクタＡにおける前記溶着用材４０を前記鍔状部Ａ’ｂに接着して備え付けられた構成とすることによって、前記特長に併せて、前記溶着用材４０を容易且つ確実にコネクタ本体Ａ’に備えさせることができると共に、該コネクタ本体Ａ’及び溶着用材４０の成形素材の選択の自由度を増すことができる。
【００３８】
かかる構成からなるコネクタＡは、前記溶着用材４０を前記鍔状部Ａ’ｂに掛止して備え付けられる構成とすることによって、前記特長に併せて、前記溶着用材４０を容易且つ確実にコネクタ本体Ａ’に備え付けることができると共に、該コネクタ本体Ａ’及び溶着用材４０における成形素材の選択の自由度を増すことができる。
【００３９】
また、かかる構成からなるコネクタＡは、このコネクタＡにおける前記溶着用材４０を、ポリエチレン製又は高密度ポリエチレン製の溶着側層部４３と、前記鍔状部Ａ’ｂに接着又は溶着される合成樹脂製の鍔状部側層部４１と、該溶着側層部４３と該鍔状部側層部４１との間に備えられ且つ該溶着側層部４３と鍔状部側層部４１とに接着可能、溶着可能又は一体にプラスチック成形可能な合成樹脂からなる中間層部４２とを備えた構成とすることによって、前記特長に併せて、コネクタ本体Ａ’を燃料タンクＢに溶着する典型的な溶着用材４０を備えたコネクタＡとすることができる。
【００４０】
また、かかる構成からなるコネクタＡは、このコネクタＡにおける前記溶着用材４０を、ポリエチレン製層部４４と、前記鍔状部Ａ’ｂに接着又は溶着される合成樹脂製の鍔状部側層部４１と、該ポリエチレン製層部４４と鍔状部側層部４１との間に備えられ且つ該ポリエチレン製層部４４と鍔状部側層部４１とに接着可能、溶着可能又は一体にプラスチック成形可能な合成樹脂製の中間層部４２と、前記ポリエチレン製層部４４に接着又は溶着される高密度ポリエチレン製層部４５とを備えた構成とすることによって、前記特長に併せて、コネクタ本体Ａ’を燃料タンクＢに溶着する典型的な溶着用材４０を備えたコネクタＡとすることができる。
【００４１】
また、かかる構成からなるコネクタＡは、該コネクタＡにおける前記鍔状部Ａ’ｂの前記タンクＢ’外面に向き合う側に、前記燃料タンクＢに対して前記溶着用材４０の溶着により前記コネクタＡを備え付けた際に、該タンクＢ’外面に当接又は近接される一条又は複数条の環状凸条部１１ｃを一体に設けた構成とすることによって、前記特長に併せて、当該コネクタＡの燃料タンクＢに対する溶着部から、前記燃料からの蒸発ガスが漏れ出すのを効果的に減少させることができる。
【００４２】
また、かかる構成からなるコネクタＡは、該コネクタＡを、燃料供給管の接続用コネクタとすることによって、前記特長に併せて、燃料から生ずる蒸発ガスの漏れ出しを効果的に減じた状態で、燃料供給管を燃料タンクＢに接続することができる。
【００４３】
また、かかる構成からなるコネクタＡは、該コネクタＡを、通気管の接続用コネクタとすることによって、前記特長に併せて、燃料から生ずる蒸発ガスの漏れ出しを効果的に減じた状態で、通気管を燃料タンクＢに接続することができる。
【００４４】
また、かかる構成からなるコネクタＡは、このコネクタＡをフューエルカットオフバルブ３０を備えた構成とすることによって、前記特長に併せて、燃料から生ずる蒸発ガスの漏れ出しを効果的に減じた状態で、管Ｃと燃料タンクＢとをフューエルカットオフバルブ３０を介して接続することができる。
【００４５】
かかるコネクタＡを、更に、図示例に基づいて具体的に説明する。
この図示例に係るコネクタＡは、燃料タンクＢに各種の管Ｃを接続する手段として用いられるものであって、特に、典型的なフューエルカットオフバルブ３０を備えたコネクタＡを燃料タンクＢの上部側に備えた状態を示したものであり、給油などによる燃料タンクＢ内にある燃料液面の上昇に際して、当該燃料タンクＢ内に溜った燃料からの蒸発ガスなどをキャニスタなどに前記管Ｃを通じて案内すると共に、例えば、車の急加速や、急ハンドルなどによって該フューエルカットオフバルブ内に燃料液が流入した場合に、該コネクタＡに備えられたフューエルカットオフバルブ３０を閉じて、前記管Ｃに向けた当該燃料液の流出を阻止するようにしてある。
【００４６】
（１）  第１の実施の形態に係る燃料タンク用コネクタＡ
先ず、図１〜図４に示される第１の実施の形態に係る燃料タンク用コネクタＡについて具体的に説明する。
この図示例にかかる燃料タンク用コネクタＡは、少なくとも開口Ｂａの開口縁Ｂａ’に続く開口周縁側方のタンクＢ’外面部をポリエチレン製又は高密度ポリエチレン製とした燃料タンクＢの開口部Ｂｂに備え付けられて該燃料タンクＢと該燃料タンクＢに接続される管Ｃとを連通状態に接続する合成樹脂製のコネクタＡとしてあり、しかも、該コネクタＡが、筒状部Ａ’ａと該筒状部Ａ’ａの外周側に備えられ且つ前記開口Ｂａよりも大きい鍔状部Ａ’ｂとを一体に備えたガスバリヤ性合成樹脂製のガスバリヤ体Ａ’と、該ガスバリヤ体Ａ’の前記鍔状部Ａ’ｂにおける少なくとも前記タンクＢ’外面に向き合う側に備えられると共に少なくとも該タンクＢ’外面に向き合う側をポリエチレン製又は高密度ポリエチレン製とした溶着用材４０とを備えた構成としてある。
そして、該コネクタＡが、前記開口Ｂａを塞ぐように、前記タンクＢ’外面に向き合って備え付けられている前記鍔状部Ａ’ｂの前記溶着用材４０を前記開口周縁側方のタンクＢ’外面部に溶着して備え付けられる構成としてある。
【００４７】
この図示例にかかるコネクタＡは、より具体的には、該コネクタＡを典型的なフューエルカットオフバルブ３０を備えたコネクタ本体部１０及び接続筒体部２０と、このコネクタ本体部１０に備え付けられる溶着用材４０とを備えた構成としてあり、前記コネクタ本体Ａ’を該コネクタ本体部１０と該コネクタ本体部１０に一体に組み付けられる接続筒体部２０とによって構成するようにしてある。
【００４８】
このコネクタＡを構成するコネクタ本体部１０は、ガスバリヤ性合成樹脂製としてあり、燃料から生ずる蒸発ガスなどの透過し難い各種の合成樹脂、例えば、ポリアセタール、ポリアミド、ポリブチレンテレフタレート、ポリフェニレンスルフィド、リキッドクリスタルポリマー、ポリエチレンテレフタレート、脂肪族ポリケトン、芳香族ポリアミドなどによって構成される。
【００４９】
かかるコネクタ本体部１０は、前記コネクタ本体Ａ’における筒状部Ａ’ａを、追って説明する接続筒体部２０と共に構成する上下方向を向いて孔１２ａを備えるように設けられた接続筒１２と、この接続筒１２の下端側の外周部から側方に張り出すように備えられて、前記コネクタ本体Ａ’における鍔状部Ａ’ｂを構成する鍔部１１とを備えた構成としてある。
【００５０】
かかるコネクタ本体部１０は、前記鍔部１１を構成する円板状鍔基部１１ａと、この円板状鍔基部１１ａの外周部から上方に起立して、前記接続筒１２の外周側方を取り囲むように備えられる円筒状の取付け筒部１３と、この取付け筒部１３の中間部の外周部から側方に張り出すように備えられて前記鍔部１１の一部を構成する円板状の鍔張り出し部１１ｂと、この鍔張り出し部１１ｂの下面側から下方に向けて突き出し状に備えられる下面開口の円筒状の筒状部３１とを一体に備えた構成、例えば、プラスチック成形による一体成形によって備えた構成としてあり、前記接続筒１２を、追って説明する接続筒体部２０と共に前記コネクタ本体Ａ’における筒状部Ａ’ａの構成手段としてあり、また、この接続筒１２の周側部から外方に張り出し状態に備えられる前記鍔部１１を、前記コネクタ本体Ａ’における鍔状部Ａ’ｂとして構成してある。
【００５１】
かかるコネクタ本体部１０は、更に、具体的には、前記接続筒１２と前記取付け筒部１３との間が、接続筒体部２０の組み付けに用いられる環状凹溝１４としてあると共に、この接続筒１２の上端が、該取付け筒部１３の上端より、やや上方に突き出す構成としてある。
また、この取付け筒部１３の上端部には、互いに向き合うように一対の弾性掛止片１５が上方に起立するように設けてあると共に、この弾性掛止片１５の上端部には、この上端部から両側方に突き出すように掛止凸部１５ａが設けられた構成としてある。
【００５２】
また、このコネクタ本体部１０における前記鍔張り出し部１１ｂの下面に一体に備えられている前記筒状部３１を取り囲むように、この鍔張り出し部１１ｂから一条の環状凸条部１１ｃが、短寸円筒状をなすように一体に突き出し状態に設けてあり、この環状凸条部１１ｃの外方側の該鍔張り出し部１１ｂの下面部分が、前記溶着用材４０の備え付け面としてある。
【００５３】
なお、前記環状凸条部１１ｃは、前記コネクタ本体部１０を燃料タンクＢに備え付けた際に、この環状凸条部１１ｃの先端部が、該燃料タンクＢにおけるタンクＢ’面に当接又は近接する突き出し寸法を備えたものとしてあり、この環状凸条部１１ｃによって、燃料タンクＢに対するコネクタＡの取付け部分における燃料蒸発ガスなどの漏れ出しを効果的に減少させることができる。
【００５４】
かかる鍔張り出し部１１ｂに備えられる環状凸条部１１ｃは、前記筒状部３１を巡る複数条の環状凸条部１１ｃ、即ち、二重リング、三重リングなどのように多重リング状に構成してあってもよく、この筒状部３１を取り囲むように備えられる複数条の環状凸条部１１ｃによって、燃料タンクＢに対するコネクタＡの取付け部分における燃料蒸発ガスなどの漏れ出しを効果的に減少させることができる。
【００５５】
このコネクタ本体Ａ’における鍔状部Ａ’ｂを構成する当該コネクタ本体部１０における前記鍔部１１は、前記燃料タンクＢにおける開口Ｂａよりも大きい鍔面を備えた構成、即ち、前記燃料タンクＢにおける開口縁Ｂａ’から開口周縁側方のタンクＢ’面上に延びるように備えられた構成、更に、具体的には、円形孔として備えられる前記燃料タンクＢにおける開口Ｂａの直径よりも大きい直径の円板状をなす鍔部１１として構成してある。
【００５６】
また、前記接続筒１２の下端部には、該接続筒１２の管孔１２ａを細くした縮径部３４ａが設けてあり、この縮径部３４ａの下方側を下方で拡径とされる円錐形凹孔状の弁座３４としてある。
なお、この接続筒１２の下端部に備えられる弁座３４は、該接続筒１２の下端部に前記鍔部１１が、該接続筒１２から一体に側方に張り出し状態に備えられていることから、この鍔部１１における鍔基部１１ａのほぼ中央部、即ち、前記鍔張り出し部１１ｂから下方に台状に突き出し状態に備えられている該鍔基部１１ａのほぼ中央部に備えられた構成としてある。
【００５７】
かかるコネクタ本体部１０における前記鍔部１１、特に、鍔張り出し部１１ｂに一体に備えられるフューエルカットオフバルブ３０は、この図示例にあっては、弁座３４を取り囲むように該鍔張り出し部１１ｂから一体に突き出し状態に備えられる筒状部３１と、この筒状部３１の先端部に備えられて該筒状部３１と共にフロート室を構成する蓋体３２と、この蓋体３２で塞がれる該筒状部３１内のフロート室内に燃料液面の変動によって上下動可能に備えられているフロート３３とを備えた構成としてある。
【００５８】
このフロート３３の収納組み入れられるフロート室を構成する筒状部３１は、前記コネクタ本体部１０における鍔部１１から、該鍔部１１の下方に向けて突き出すように設けてあり、この筒状部３１内に、前記弁座３４を備えた前記接続筒１２の周囲に備えられている前記鍔基部１１ａを位置付けるように備えた構成としてあり、前記鍔部１１と一体にプラスチック成形で構成してある。
【００５９】
また、この筒状部３１は、該筒状部３１に対して容易にガスなどが流出入し得るように該筒状部３１の内外を連通する孔３１ｂを備えた構成としてあると共に、該筒状部３１の内側に、前記フロート３３を上下方向に案内する上下方向に延びたガイドリブ３１ｃを備えた構成としてある。
【００６０】
また、この筒状部３１における下端縁の外側に該筒状部３１から外方に突き出すように掛止凸部３１ａが設けてあり、追って説明する蓋体３２の掛止孔３２ｄの口縁に掛止し得るようにしてある。
【００６１】
かかる構成からなる筒状部３１内に組み入れられるフロート３３は、例えば、ポリアセタールなどによって構成してあり、この筒状部３１内で、前記ガイドリブ３１ｃに案内されて、燃料液面の変動に伴って円滑に上下方向に移動し得るように備えられており、その上方に向けた移動に際して、前記弁座３４に密着して該弁座３４に連通されている接続筒１２の管孔１２ａを塞ぐ弁体部３３ａを、その上端部側に備えた構成としてあり、その下部側のほぼ中央部を上方に凹む凹部３３ｃとしてあると共に、この凹部３３ｃ内底の周側部を更に上方に凹む環状凹部３３ｃ’とし、該凹部３３ｃ内に円形台状部３３ｄを備えた構成としてあると共に、この凹部３３ｃと該フロート３３の上端面とを連通する孔３３ｂを備えた構成としてある。
【００６２】
かかるフロート３３を前記筒状部３１内に組入状態に維持する蓋体３２は、円板状をなす底板部３２ａの周縁部から上方に起立する筒状周壁部３２ｂを有し、この筒状周壁部３２ｂ内に前記筒状部３１を、該筒状部３１の先端を該底板部３２ａに当接させるように受け入れると共に、この筒状部３１に備えられている掛止凸部３１ａを該筒状周壁部３２ｂに備えられている掛止孔３２ｄの孔縁に掛止して、該筒状部３１に組み付けられた構成としてあり、この蓋体３２の内側のほぼ中央部に備えられている円形台状部３２ｃと前記フロート３３における円形台状部３３ｄに嵌め付けた圧縮コイルバネ３５によって、該フロート３３を該筒状部３１内において燃料液面の変動に追随して容易に浮き上がり移動し得るように組み付けてある。
【００６３】
かかる筒状部３１内にフロート３３を組み付ける蓋体３２は、その底板部３２ａに上下に貫通する複数の孔３２ｅを設けてあり、この筒状部３１内に対して燃料やガスなどが容易に流出入し得る構成としてある。
【００６４】
なお、前記圧縮コイルバネ３５は、前記フロート３３が燃料液によって浮力を浮けていない状態で、該フロート３３の重量とバランスを保って、このフロート３３を、前記弁座３４から離した位置に維持するように弾持し、このフロート３３が燃料液による浮力を受けた際に、この浮力によって該フロート３３が容易に浮き上がり移動し得ると共に、車輛の転倒などに際して、該フロート３３を、その浮力に抗して該フロート３３における弁体部３３ａを前記弁座３４に押し付け得るように構成してある。
【００６５】
かかる構成からなる前記コネクタ本体Ａ’における鍔状部Ａ’ｂとされる当該コネクタ本体部１０における該鍔部１１の下面の外周部に溶着用材４０を備え付け状態とする。
この鍔部１１の下面に備え付けられる溶着用材４０は、少なくとも、その下端面側をポリエチレン製又は高密度ポリエチレン製としてあり、燃料タンクＢにおける開口部Ｂｂのポリエチレン製又は高密度ポリエチレン製のタンクＢ’面部に良好に溶着し得る構成としてある。
かかる鍔部１１に備え付けられる溶着用材４０は、前記燃料タンクＢにおける開口Ｂａの開口周縁Ｂａ’の側方にあるタンクＢ’の面部に向き合う鍔部１１面に備え付けられており、この鍔部１１部分を該溶着用材４０を用いて燃料タンクＢの開口部におけるタンクＢ’面に溶着し得るようにしてある。
【００６６】
かかる構成からなるコネクタ本体部１０に組み付けられてコネクタＡを燃料タンクＢに溶着する手段として用いられる溶着用材４０は、ポリエチレン製層部４４と、前記鍔状部Ａ’ｂに接着又は溶着される合成樹脂製の鍔状部側層部４１と、該ポリエチレン製層部４４と鍔状部側層部４１との間に備えられ且つ該ポリエチレン製層部４４と鍔状部側層部４１とに接着可能、溶着可能又は一体にプラスチック成形可能な合成樹脂製の中間層部４２と、前記ポリエチレン製層部４４に接着又は溶着される高密度ポリエチレン製層部４５とを備えた構成としてあり、典型的には、環状又は長尺状に構成してある。
【００６７】
かかる溶着用材４０を構成する前記鍔状部側層部４１は、この鍔状部側層部４１の接着又は溶着される前記コネクタ本体Ａ’における鍔状部Ａ’ｂを構成する前記コネクタ本体部１０の鍔部１１に都合良く接着又は溶着される合成樹脂、例えば、当該鍔部１１をポリアセタール製として構成してある場合、この鍔状部側層部４１をポリアセタール製として構成することができる。
【００６８】
また、かかる溶着用材４０を構成する中間層部４２は、前記ポリエチレン製層部４４と、前記鍔状部側層部４１を構成する、例えば、ポリアセタール製層部とに都合よく接着し、溶着し、又は、インサート成形をなし得るに適した合成樹脂、例えば、高接着性ポリオレフィンなどによって構成される。
【００６９】
かかる溶着用材４０は、例えば、前記中間層部４２の高接着性ポリオレフィンの接着性を用いて、この中間層部４２の一方側の面に前記ポリエチレン製層部４４を、また、他方側の面に、前記鍔状部側層部４１を構成する合成樹脂製層を夫々接着し、溶着し、又は、これらを、インサート成形によって一体のものとして構成すると共に、該鍔状部側層部４１を前記鍔部１１の下面側に接着又は溶着し、前記ポリエチレン製層部４４に高密度ポリエチレン製層部４５を添装状態に接着又は溶着して、コネクタ本体Ａ’の鍔状部Ａ’ｂを構成する鍔部１１に備え付けるようにしてあり、例えば、前記円板状をなす鍔部１１の下面側に、当該溶着用材４０を環状をなすように設ける。
【００７０】
かかる溶着用材４０は、例えば、前記コネクタ本体Ａ’をポリアセタール製とした場合、前記鍔状部側層部４１を該コネクタ本体Ａ’に接着可能なポリアセタール製とし、前記中間層部４２を該鍔状部側層部４１のポリアセタールと前記ポリエチレン製層部４４とに都合よく接着される高接着性ポリオレフィン製とし、この高接着性ポリオレフィンの接着性を用いて、この中間層部４２の一方側の面に前記ポリエチレン製層部４４を、また、他方側の面に、前記鍔状部側層部４１を夫々接着、一体に構成すると共に、該鍔状部側層部４１を前記鍔部１１の下面側に接着し、且つ、前記ポリエチレン製層部４４に高密度ポリエチレン製層部４５を添装状態に接着して、該溶着用材４０をコネクタ本体Ａ’の鍔状部Ａ’ｂを構成する鍔部１１に備え付けるように構成することができる。
【００７１】
また、かかる溶着用材４０は、例えば、前記コネクタ本体Ａ’をポリアセタール製とした場合、前記鍔状部側層部４１を該コネクタ本体Ａ’に接着可能なポリアセタール製とし、前記中間層部４２を該鍔状部側層部４１のポリアセタールと前記ポリエチレン製層部４４とに都合よく接着される高接着性ポリオレフィン製とし、この中間層部４２の一方側の面に前記ポリエチレン製層部４４を、また、他方側の面に、前記鍔状部側層部４１を、当該中間層部４２のインサートによるプラスチック成形によって一体に構成すると共に、該鍔状部側層部４１を前記鍔部１１の下面側に接着し、且つ、前記ポリエチレン製層部４４に高密度ポリエチレン製層部４５を添装状態に接着して、該溶着用材４０をコネクタ本体Ａ’の鍔状部Ａ’ｂを構成する鍔部１１に備え付けるように構成することができる。
【００７２】
かかる溶着用材４０を備えて構成されるコネクタ本体部１０に組み付けられてコネクタ本体Ａ’を構成する接続筒体部２０は、前記コネクタ本体部１０における接続筒１２と共に、前記コネクタ本体Ａ’の筒状部Ａ’ａを構成するものであって、この接続筒１２から案内される燃料蒸発ガスなどの漏れ出し難い合成樹脂によって構成してあり、該コネクタ本体部１０における接続筒１２と共にガスバリヤ性合成樹脂製の筒状部Ａ’ａを構成するようにしてある。
【００７３】
このコネクタ本体部１０に組み付けられる接続筒体部２０は、孔２９を備えていると共に、前記コネクタ本体部１０における接続筒１２を受入れ且つ前記環状凹溝１４内に密に嵌め入れられる筒状部２１と、この筒状部２１に連通されて管Ｃの接続部を構成する接続筒部２４と、この筒状部２１と接続筒部２４間に備えられている屈曲筒状部２３とを備え、前記環状凹溝１４内に筒状部２１を嵌め入れ状態に組み付けることによって、前記弁座３４を介して、前記燃料タンクＢと管Ｃとを前記孔１２ａ及び孔２９で連通状態に接続する。
【００７４】
このコネクタ本体部１０に組み付けられてコネクタ本体Ａ’を構成する接続筒体部２０は、前記筒状部２１にＯリング２６が嵌め付けられていると共に、この筒状部２１と屈曲筒状部２３との間に鍔２２が設けてあり、前記環状凹溝１４内に環状のシール材２７を嵌め入れた状態で、この筒状部２１における縦方向のガイド溝２１ａに前記環状凹溝１４内のガイドリブ１４ａを受入れ、且つ、前記接続筒１２を、該筒状部２１内に受入れるようにして、該筒状部２１を前記環状凹溝１４内に嵌め入れ、この筒状部２１の下端面で前記シール材２７を押圧した状態で前記鍔２２を前記取付け筒部１３の上端面に接しさせ、この状態で、前記弾性掛止片１５における掛止突部１５ａを、前記屈曲筒状部２３に備えられている掛止突部２５に掛止させることによって、該接続筒体部２０を前記Ｏリング２６や前記シール材２７などで気密の状態にして前記コネクタ本体部１０に組み付けてある。
【００７５】
なお、このコネクタ本体部１０に対する接続筒体部２０の組み付けに用いられる当該接続筒体部２０に備えられる掛止突部２５は、前記屈曲筒状部２３の外面の縦方向に並列するように備えられる一対１組の隆起凸状体２５ａを２組用意してあり、該接続筒体部２０の組み付けにおいて、前記弾性掛止片１５における掛止突部１５ａが該一対の各隆起凸状体２５間に渡って該凸状体２５ａの面を案内されて移動すると共に、この各隆起凸状体２５ａの上端において、該掛止突部１５ａを該隆起凸状体２５ａの面から屈曲筒状部２３の側に落下させて、前記弾性掛止片１５を該各隆起凸状体２５ａ間に落とし込んだ状態とすることによって、該掛止突部１５ａを該隆起凸状体２５ａの先端面に密着するように掛止させてある。
【００７６】
なお、前記コネクタ本体Ａ’は、前記コネクタ本体部１０及び接続筒体部２０と共に更に他の部材を備えて構成してあってもよく、また、前記コネクタ本体部１０と接続筒体部２０とをプラスチック成形によって一体に備えた構成としてあってもよい。
また、前記コネクタ本体Ａ’は、ガスバリヤ性合成樹脂製の筒状部Ａ’ａ及び鍔状部Ａ’ｂを備えた構成としてあれば、このコネクタ本体Ａ’の外面に他の合成樹脂製外殻部などを備えた構成としてあってもよい。
【００７７】
このように構成されたコネクタＡにおける前記筒状部３１側を、この図示例にあっては、前記燃料タンクＢの上部側に備えられている開口Ｂａから該燃料タンクＢ内に差し入れ、このコネクタＡにおける鍔状部Ａ’ｂ、特に、この図示例にあっては、前記コネクタ本体部１０における鍔部１１に備え付けられている前記溶着用材４０を該燃料タンクＢにおける開口縁Ｂａ’の側方のタンクＢ’面に溶着し、この鍔状部Ａ’ｂを構成する該鍔部１１に備えられているガスバリヤ性合成樹脂製の前記環状凸条部１１ｃの先端が、該燃料タンクＢにおけるタンクＢ’面に接するように、当該コネクタＡを燃料タンクＢに備え付ける。
【００７８】
このように燃料タンクＢに備え付けられるコネクタＡにあっては、該コネクタ本体Ａ’を燃料タンクＢに対して確実且つ容易に溶着できると共に、この燃料タンクＢにもたらされる燃料蒸発ガスなどが、該コネクタＡにおける鍔状部Ａ’ｂや筒状部Ａ’ａから外部に漏れ出すのを効果的に減少させることができる。
かかる燃料タンクＢに備え付けられたコネクタＡに対してＯリングなどの適宜のシール材２８を嵌めつけて、管Ｃを接続して用いることによって、燃料蒸発ガスなどの漏れ出しを効果的に減少させた状態での管Ｃの接続をなすことができる。
【００７９】
（２）  第２の実施の形態に係る燃料タンク用コネクタＡ
次いで、図５〜図８に示される第２の実施の形態に係る燃料タンク用コネクタＡについて具体的に説明する。
この図示例にかかるコネクタＡは、少なくとも開口Ｂａの開口縁Ｂａ’に続く開口周縁側方のタンクＢ’外面部をポリエチレン製又は高密度ポリエチレン製とした燃料タンクＢの開口部Ｂｂに備え付けられて該燃料タンクＢと該燃料タンクＢに接続される管Ｃとを連通状態に接続する合成樹脂製のコネクタＡとしてあり、しかも、該コネクタＡが、筒状部Ａ’ａと該筒状部Ａ’ａの外周側に備えられ且つ前記開口Ｂａよりも大きい鍔状部Ａ’ｂとを一体に備えたガスバリヤ性合成樹脂製のガスバリヤ体Ａ’と、該ガスバリヤ体Ａ’の前記鍔状部Ａ’ｂにおける少なくとも前記タンクＢ’外面に向き合う側に備えられると共に少なくとも該タンクＢ’外面に向き合う側をポリエチレン製又は高密度ポリエチレン製とした溶着用材４０とを備えた構成としてある。そして、該コネクタＡが、前記開口Ｂａを塞ぐように、前記タンクＢ’外面に向き合って備え付けられている前記鍔状部Ａ’ｂの前記溶着用材４０を前記開口周縁側方のタンクＢ’外面部に溶着して備え付けられる構成としてある。
【００８０】
この第２の実施の形態に係るコネクタＡは、前記溶着用材４０を、ポリエチレン製又は高密度ポリエチレン製の溶着側層部４３と、前記鍔状部Ａ’ｂに接着又は溶着される合成樹脂製の鍔状部側層部４１と、該溶着側層部４３と該鍔状部側層部４１との間に備えられ且つ該溶着側層部４３と鍔状部側層部４１とに接着可能、溶着可能又は一体にプラスチック成形可能な合成樹脂からなる中間層部４２とを備えた構成とした以外の構成を、前記第１の実施の形態に係るコネクタＡの構成と同一又は実質的に同一の構成としてあり、実質的に同一の方法で燃料タンクＢに備え付け用いることができる。
従って、前記第１の実施の形態に係る燃料タンク用コネクタＡの構成におけると同一又は実質的に同一の構成部分に、同一の番号を付して、その説明を省略する。
【００８１】
かかる溶着用材４０を構成する前記鍔状部側層部４１は、この鍔状部側層部４１の接着又は溶着される前記コネクタ本体Ａ’における鍔状部Ａ’ｂを構成する前記コネクタ本体部１０の鍔部１１に都合良く接着又は溶着される合成樹脂、例えば、当該鍔部１１をポリアセタール製として構成してある場合、この鍔状部側層部４１をポリアセタール製層部として構成することができる。
【００８２】
また、かかる溶着用材４０を構成する中間層部４２は、前記溶着側層部４３を構成するポリエチレン製層又は高密度ポリエチレン製層と、前記鍔状部側層部４１を構成する、例えば、ポリアセタール製層とに都合よく接着し、溶着し、又は、インサート一体成形に適した合成樹脂、例えば、高接着性ポリオレフィンなどによって構成される。
【００８３】
かかる溶着用材４０は、例えば、前記中間層部４２の高接着性ポリオレフィンの接着性を用いて、この中間層部４２の一方側の面に、前記溶着側層部４３を構成するポリエチレン製層又は高密度ポリエチレン製層を、また、他方側の面に、前記鍔状部側層部４１を構成する合成樹脂製層を夫々接着又は溶着して構成し、あるいは、前記中間層部４２の合成樹脂製層の、一方側に前記溶着側層部４３を構成するポリエチレン製層又は高密度ポリエチレン製層を、また、他方側に、前記鍔状部側層部４１を構成する合成樹脂製層を夫々設けるように、当該溶着用材４０をインサート成形によって構成すると共に、この鍔状部側層部４１を前記鍔部１１の下面側に接着又は溶着して、例えば、前記円板状をなす鍔部１１の下面側に、当該溶着用材４０を環状をなすように設けると共に、この溶着用材４０における前記溶着側層部４３を前記燃料タンクＢに溶着して、前記コネクタＡを燃料タンクＢに止着する。
【００８４】
かかる溶着用材４０は、例えば、前記コネクタ本体Ａ’をポリアセタール製とした場合、前記鍔状部側層部４１を該コネクタ本体Ａ’に接着可能なポリアセタール製とし、前記中間層部４２を該鍔状部側層部４１のポリアセタールと前記溶着側層部４３を構成するポリエチレン製層又は高密度ポリエチレン製層とに都合よく接着される高接着性ポリオレフィン製とし、この高接着性ポリオレフィンの接着性を用いて、この中間層部４２の一方側の面に前記溶着側層部４３を、また、他方側の面に、前記鍔状部側層部４１を夫々接着、一体に構成すると共に、該鍔状部側層部４１を前記鍔部１１の下面側に接着して、該溶着用材４０をコネクタ本体Ａ’の鍔状部Ａ’ｂを構成する鍔部１１に備え付けるように構成することができる。
【００８５】
また、かかる溶着用材４０は、例えば、前記コネクタ本体Ａ’をポリアセタール製とした場合、前記鍔状部側層部４１を該コネクタ本体Ａ’に接着可能なポリアセタール製とし、前記中間層部４２を該鍔状部側層部４１のポリアセタールと前記溶着側層部４３を構成するポリエチレン製層又は高密度ポリエチレン製層とに都合よく接着される高接着性ポリオレフィン製とし、この高接着性ポリオレフィンの接着性を用いて、この中間層部４２の一方側の面に前記溶着側層部４３を、また、他方側の面に、前記鍔状部側層部４１を、該中間層部４２のインサートによるプラスチック成形で一体に構成すると共に、該鍔状部側層部４１を前記鍔部１１の下面側に接着して、該溶着用材４０をコネクタ本体Ａ’の鍔状部Ａ’ｂを構成する鍔部１１に備え付けるように構成することができる。
【００８６】
（３）  第３の実施の形態に係る燃料タンク用コネクタＡ
次いで、図９〜図１２に示される第３の実施の形態に係る燃料タンク用コネクタＡについて具体的に説明する。
この図示例にかかる燃料タンク用コネクタＡは、少なくとも開口Ｂａの開口縁Ｂａ’に続く開口周縁側方のタンクＢ’外面部をポリエチレン製又は高密度ポリエチレン製とした燃料タンクＢの開口部Ｂｂに備え付けられて該燃料タンクＢと該燃料タンクＢに接続される管Ｃとを連通状態に接続する合成樹脂製のコネクタＡとしてあり、しかも、該コネクタＡが、筒状部Ａ’ａと該筒状部Ａ’ａの外周側に備えられ且つ前記開口Ｂａよりも大きい鍔状部Ａ’ｂとを一体に備えたガスバリヤ性合成樹脂製のガスバリヤ体Ａ’と、該ガスバリヤ体Ａ’の前記鍔状部Ａ’ｂにおける少なくとも前記タンクＢ’外面に向き合う側に備えられると共に少なくとも該タンクＢ’外面に向き合う側をポリエチレン製又は高密度ポリエチレン製とした溶着用材４０とを備えた構成としてある。
そして、該コネクタＡが、前記開口Ｂａを塞ぐように、前記タンクＢ’外面に向き合って備え付けられている前記鍔状部Ａ’ｂの前記溶着用材４０を前記開口周縁側方のタンクＢ’外面部に溶着して備え付けられる構成としてある。
【００８７】
この第３の実施の形態に係るコネクタＡは、前記コネクタ本体Ａ’の鍔状部Ａ’ｂの周側縁部の下面側、即ち、前記環状凸条部１１ｃの外側にあって、前記燃料タンクＢに向き合う前記鍔部１１から下方に向けて突設された掛止凸条部１１ｄを備えていると共に、前記溶着用材４０における該鍔部１１に向き合う側に、この掛止凸条部１１ｄを受け入れ掛止する凹溝４６を備えた構成とした以外の構成を、前記第１の実施の形態に係るコネクタＡの構成と同一又は実質的に同一の構成としてあり、実質的に同一の方法で燃料タンクＢに備え付け用いることができる。
従って、前記第１の実施の形態に係る燃料タンク用コネクタＡの構成におけると同一又は実質的に同一の構成部分に、同一の番号を付して、その説明を省略する。
【００８８】
かかるコネクタＡに備えられる掛止凸条部１１ｄは、前記円板状に構成されている鍔部１１の下面側から下方に突き出すように備えられており、前記環状凸条部１１ｃを巡る円環状の掛止凸条部１１ｄとして構成してあると共に、その先端部が、溶着用材４０の掛止に適する膨大頭部１１ｄ’として構成してある。
【００８９】
また、この掛止凸条部１１ｄに掛止される前記溶着用材４０は、ポリエチレン製の溶着用材４０又は高密度ポリエチレン製の溶着用材４０としてあると共に、環状又は長尺状に構成されており、前記鍔部１１に向き合う面に、その長さ方向に向けて、前記掛止凸条部１１ｄの差し入れ掛止される凹溝４６を備えた構成としてあり、前記膨大頭部１１ｄ’を弾性変形しながら受け入れ掛止するように構成し、あるいは、この膨大頭部１１ｄ’を受け入れ掛止する拡室状凹部を溝底部分に備えるなど、前記掛止凸条部１１ｄの掛止に適する構成を備えたものとして構成される。
【００９０】
かかる溶着用材４０の前記凹溝４６内に前記掛止凸条部１１ｄを受け入れるようにして、該溶着用材４０を該掛止凸条部１１ｄに嵌め付け状態に掛止し、この環状凸条部１１ｃを巡るように当該コネクタ本体Ａ’に環状に備えられた溶着用材４０を、前記燃料タンクＢに溶着して、前記コネクタＡを当該燃料タンクＢに備え付ける。
【００９１】
なお、前記溶着用材４０は、少なくとも、燃料タンクＢに向き合う側が、ポリエチレン製又は高密度ポリエチレン製の溶着層を備えた構成のものであれば、いかなる構成のものであってもよく、例えば、前記第１及び第２の実施の形態に係る燃料タンク用コネクタＡを構成する溶着用材などを、当該第３の実施の形態に係る燃料タンク用コネクタＡの溶着用材として用いることができる。
【００９２】
【発明の効果】
この発明に係る燃料タンク用コネクタは、少なくとも開口の開口縁に続く開口周縁側方のタンク外面部をポリエチレン製又は高密度ポリエチレン製とした燃料タンクの開口部に備え付けられて該燃料タンクと該燃料タンクに接続される管とを連通状態に接続する合成樹脂製のコネクタであって、  該コネクタが、筒状部と該筒状部の外周側に備えられ且つ前記開口よりも大きい鍔状部とを一体に備えたガスバリヤ性合成樹脂製のコネクタ本体と、該コネクタ本体の前記鍔状部における少なくとも前記タンク外面に向き合う側に備えられると共に少なくとも該タンク外面に向き合う側をポリエチレン製又は高密度ポリエチレン製とした溶着用材とを備えており、該コネクタが、前記開口を塞ぐように、前記タンク外面に向き合って備え付けられている前記鍔状部の前記溶着用材を前記開口周縁側方のタンク外面部に溶着して備え付けられる構成としてあることから、前記燃料タンク内にもたらされる燃料からの蒸発ガスなどが当該コネクタ部分から漏れ出すのを効果的に減ずることができる利点を有している。
また、かかる構成のコネクタにあっては、前記溶着用材をコネクタ本体と別段に用意される溶着用材によって、燃料タンクに溶着するようにしてあることから、該コネクタ本体の成形素材の選択の自由度を増す利点を有している。
また、かかるコネクタにあっては、燃料タンクの外面部に溶着される前記溶着用材部分をポリエチレン製又は高密度ポリエチレン製としてあることから、当該コネクタを燃料タンクに確実且つ容易に備えつけ得る利点を有している。
【図面の簡単な説明】
【図１】典型的な第１の実施の形態に係る燃料タンク用コネクタを燃料タンクに備え付ける前の状態で、当該燃料タンクの要部と共に部品分離の状態で示す縦断面図
【図２】同コネクタを燃料タンクに備え付けた状態を当該燃料タンクの要部と共に示す縦断面図
【図３】同燃料タンクに同コネクタを備え付ける前の状態で同コネクタを燃料タンクに添装した状態を示す平面図
【図４】同コネクタを構成する接続筒体部と管の要部とを示す斜視図
【図５】典型的な第２の実施の形態に係る燃料タンク用コネクタを燃料タンクに備え付ける前の状態で、当該燃料タンクの要部と共に部品分離の状態で示す縦断面図
【図６】同コネクタを燃料タンクに備え付けた状態を当該燃料タンクの要部と共に示す縦断面図
【図７】同燃料タンクに同コネクタを備え付ける前の状態で同コネクタを燃料タンクに添装した状態を示す平面図
【図８】同コネクタを構成する接続筒体部と管の要部とを示す斜視図
【図９】典型的な第３の実施の形態に係る燃料タンク用コネクタを燃料タンクに備え付ける前の状態で当該燃料タンクの要部と共に部品分離の状態で示す縦断面図
【図１０】同コネクタを燃料タンクに備え付けた状態を当該燃料タンクの要部と共に示す縦断面図
【図１１】同燃料タンクに同コネクタを備え付ける前の状態で同コネクタを燃料タンクに添装した状態を示す平面図
【図１２】同コネクタを構成する接続筒体部と管の要部とを示す斜視図
【図１３】従来の燃料タンク用コネクタを燃料タンクに備え付ける前の状態で当該燃料タンクの要部と共に示す縦断面図
【図１４】同従来のコネクタを燃料タンクに備え付けた状態を当該燃料タンクの要部と共に示す縦断面図
【符号の説明】
Ａ  コネクタ
Ａ’  コネクタ本体
Ａ’ａ  筒状部
Ａ’ｂ  鍔状部
Ｂ  燃料タンク
Ｂ’  タンク
Ｂａ  開口
Ｂａ’  開口縁
Ｂｂ  開口部
Ｃ  管
３０  フューエルカットオフバルブ
４０  溶着用材
４１  鍔状部側層部
４２  中間層部
４３  溶着側層部
４４  ポリエチレン製層部
４５  高密度ポリエチレン製層部
【図１】
0004688275.tif 000002
【図２】
0004688275.tif 000003
【図３】
0004688275.tif 000004
【図４】
0004688275.tif 000005
【図５】
0004688275.tif 000006
【図６】
0004688275.tif 000007
【図７】
0004688275.tif 000008
【図８】
0004688275.tif 000009
【図９】
0004688275.tif 000010
【図１０】
0004688275.tif 000011
【図１１】
0004688275.tif 000012
【図１２】
0004688275.tif 000013
【図１３】
0004688275.tif 000014
【図１４】
0004688275.tif 000015